(57)【要約】【課題】  光ピックアップ装置に組み込まれるハーフミラーを正確に固定することが出来るハーフミラー固定装置を提供する。【解決手段】  ハーフミラー４に設けられている固定部が挿入固定される固定溝１２を構成するとともにハーフミラー４の基準面４Ａが押圧せしめられるミラー固定用基準壁１２Ａと、前記ミラー固定用基準壁１２Ａに対向する固定壁１２Ｂと、前記ハーフミラー４に形成されている支持面４Ｂと、前記固定壁１２Ｂと前記ハーフミラー４の支持面４Ｂとの間に挿入されるハーフミラー固定用部材１３とより成り、前記ハーフミラー固定用部材１３に折曲舌片１３Ａを設け、該折曲舌片１３Ａをハーフミラー４の支持面４Ｂに押圧することによってハーフミラー４をハウジング１１に固定する。【選択図】  図１
2011146080.tif 000002
【特許請求の範囲】
【請求項１】
レーザーダイオードから放射されたレーザー光を光ディスクに設けられている信号記録層に集光させる対物レンズ方向へ反射させるとともに前記信号記録層から反射される戻り光を光検出器方向へ透過させるハーフミラーに設けられている固定部が挿入固定される固定溝が形成されているハウジングと、前記固定溝を構成するとともにハーフミラーの基準面が押圧せしめられるミラー固定用基準壁と、前記固定溝を構成するとともに前記ミラー固定用基準壁に対向する固定壁と、前記ハーフミラーを構成するとともに前記基準面と反対側に設けられている支持面と、前記固定溝を構成する固定壁と前記ハーフミラーの支持面との間に挿入されるハーフミラー固定用部材とより成り、前記ハーフミラー固定用部材に折曲舌片を設け、該折曲舌片を前記ハーフミラーに設けられている支持面に押圧することによって前記ハーフミラーをハウジングに固定するようにしたことを特徴とするハーフミラー固定装置。
【請求項２】
ミラー固定用基準壁にハーフミラーの基準面に当接する位置決め用突起を設けたことを特徴とする請求項１に記載のハーフミラー固定装置。
【請求項３】
位置決め用突起を３つ設け、３点支持によってハーフミラーの位置を決定するようにしたことを特徴とする請求項２に記載のハーフミラー固定装置。
【請求項４】
ハーフミラーの下面を固定溝を構成する底壁に接着固定するようにしたことを特徴とする請求項１に記載のハーフミラー固定装置。
【請求項５】
ハーフミラー固定用部材に接着固定用折曲部を設け、該接着固定用折曲部をハウジングに接着固定するようにしたことを特徴とする請求項１に記載のハーフミラー固定装置。
【請求項６】
接着固定用折曲部にてハーフミラー固定用部材の固定位置を規定するようにしたことを特徴とする請求項５に記載のハーフミラー固定装置。
【請求項７】
折曲舌片のハーフミラーの支持面に対向する面に球面突起を設け、該球面突起による支持面に対する点接触によってハーフミラーを押圧支持するようにしたことを特徴とする請求項１に記載のハーフミラー固定装置。
【請求項８】
折曲舌片のハーフミラーの支持面に対向する面に曲面突起を設け、該曲面突起による支持面に対する線接触によってハーフミラーを押圧支持するようにしたことを特徴とする請求項１に記載のハーフミラー固定装置。
【請求項９】
ミラー固定用基準壁の重心点よりも下側に位置するハーフミラーの支持面を押圧するようにしたことを特徴とする請求項１に記載のハーフミラー固定装置。
【発明の詳細な説明】
【技術分野】
【０００１】
本発明は、光ディスクに記録されている信号の読み出し動作や光ディスクに信号の記録動作を行う光ピックアップ装置に組み込まれるハーフミラーの固定装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
図７は例えばＤＶＤ規格の光ディスクＤに設けられている信号記録層Ｌに記録されている信号の読み出し動作を行う光ピックアップ装置を構成する光学系を示す概略図であり、同図を利用して光ピックアップ装置の構成について説明する。
【０００４】
図７において、１は波長が６５０ｎｍの赤色光であるレーザー光を放射するレーザーダイオード、２は前記レーザーダイオード１から放射されたレーザー光が入射される位置に設けられている回折格子であり、０次回折光であるメインビームと±１次回折光であるサブビームとを分離生成する作用を成すものである。３は前記回折格子２を透過したレーザー光が入射される１／２波長板であり、前記レーザーダイオード１から放射されるレーザー光の偏光方向をＳ方向又はＰ方向の直線偏光光に調整する作用を成すものである。
【０００５】
４は前記回折格子２及び１／２波長板３を透過したレーザー光が入射される位置に設けられているハーフミラーであり、光ディスクＤ方向へレーザー光を反射させるとともに該光ディスクＤの信号記録層Ｌから反射された戻り光を透過させる制御膜が形成されている。５は前記ハーフミラー４にて反射されたレーザー光が入射される位置に設けられているコリメートレンズであり、入射されるレーザー光を平行光に変換する作用を成すものである。
【０００６】
６は前記コリメートレンズ５にて平行光に変換されたレーザー光が入射されるとともに該レーザー光を反射させる立ち上げミラーであり、光軸の方向を図示したように９０度変更するようにされている。７は前記立ち上げミラー６によって反射されたレーザー光が入射される位置に設けられている１／４波長板であり、前記立ち上げミラー６側から入射されるレーザー光を直線偏光光から円偏光光へ、また反対側から入射されるレーザー光である戻り光を円偏光光から直線偏光光に偏光する作用を成すものである。
【０００７】
８は前記１／４波長板７を透過したレーザー光が照射される位置に設けられている対物レンズであり、光ディスクＤに設けられている信号記録層Ｌにレーザー光を集光させて読み出し動作や記録動作を行うために適した形状のスポットを生成させる作用を成すものである。前記対物レンズ８によって光ディスクＤに設けられている信号記録層Ｌに集光されたレーザー光は、該信号記録層Ｌにて反射されて戻り光として該対物レンズ８に光ディスクＤ側から入射される。
【０００８】
前記対物レンズ８に入射された戻り光は、該対物レンズ８を透過した後１／４波長板７に入射され、該１／４波長板７によって円偏光光から直線偏光光に変換される。このようにして偏光された戻り光は、立ち上げミラー６にて反射された後コリメートレンズ５に入射される。
【０００９】
前記コリメートレンズ５に入射された戻り光は、該コリメートレンズ５を透過してハー
フミラー４に入射されるが、このようにしてハーフミラー４に入射される戻り光は、前記１／４波長板７に対する往復透過動作によって直線偏光光の偏光方向が反転されているので、該ハーフミラー４に設けられている制御膜にて反射されることはなく、該制御膜を透過することになる。
【００１０】
前記ハーフミラー４は、透過する戻り光に対してフォーカス制御動作を行うためのフォーカスエラー信号を生成するために非点収差を付加する作用を有するものであるが、その特性からＡＳ収差やコマ収差と呼ばれる収差が発生するという問題がある。９は前記ハーフミラー４を透過した戻り光が入射される位置に設けられているアナモフィックレンズであり、該ハーフミラー４にて生成される非点収差をフォーカスエラー信号の生成動作を行うために適した大きさになるように拡大する作用を成すとともにハーフミラー４にて発生するＡＳ収差やコマ収差を補正する作用を成すように構成されている。
【００１１】
１０は前記アナモフィックレンズ９を透過した戻り光が照射される位置に設けられている光検出器であり、照射されて生成されるスポット形状の変化やスポット位置の変位を利用することによってフォーカスエラー信号やトラッキングエラー信号を生成するように構成されている。
【００１２】
以上に説明したように光ディスクＤに記録されている信号の読み出し動作を行う光ピックアップ装置の光学系は構成されているが、レーザーダイオード１から放射されたレーザー光を対物レンズ８方向へ反射させるとともに光ディスクＤから反射される戻り光を光検出器１０の方向へ透過させる作用を成すハーフミラー４が光学特性に大きな影響を与えることになる。従って、斯かる光ピックアップ装置では、前記ハーフミラー４の固定動作を精度良く行うことが要求されている。
【００１３】
光ピックアップ装置の特性の良否を大きく左右するハーフミラー４は光ピックアップ装置を構成する基台となるハウジングに設けられている固定部に接着剤によって固定されるが、斯かるハーフミラーの固定に関する技術が特許文献１に記載されている。
【先行技術文献】
【特許文献】
【００１４】
【特許文献１】特開２００６−４０３９９号公報
【発明の概要】
【発明が解決しようとする課題】
【００１５】
特許文献１には光源放熱部材の一部を切り起こし、その切り起こした部分にてハーフミラーを仮止めし、仮止めした状態にてハーフミラーを接着固定するようにした技術が記載されている。
【００１６】
斯かる技術は光源放熱部材を利用しているので、特殊な光ピックアップ装置には実施することが出来るものの構造が異なる光ピックアップ装置には実施することが出来ないという問題がある。
【００１７】
本発明は、前述した問題を解決することが出来るハーフミラーの固定装置を提供しようとするものである。
【課題を解決するための手段】
【００１８】
本発明は、ハーフミラーに設けられている固定部が挿入固定される固定溝が形成されているハウジングと、前記固定溝を構成するとともにハーフミラーの基準面が押圧せしめられるミラー固定用基準壁と、前記固定溝を構成するとともに前記ミラー固定用基準壁に対
向する固定壁と、前記ハーフミラーを構成するとともに前記基準面と反対側に設けられている支持面と、前記固定溝を構成する固定壁と前記ハーフミラーの支持面との間に挿入されるハーフミラー固定用部材とを設け、前記ハーフミラー固定用部材に折曲舌片を設け、該折曲舌片を前記ハーフミラーに設けられている支持面に押圧することによって前記ハーフミラーをハウジングに固定するようにしたことを特徴とするものである。
【００１９】
また、本発明は、ミラー固定用基準壁にハーフミラーの基準面に当接する位置決め用突起を設けたことを特徴とするものである。
【００２０】
そして、本発明は、位置決め用突起を３つ設け、３点支持によってハーフミラーの位置を決定するようにしたことを特徴とするものである。
【００２１】
また、本発明は、ハーフミラーの下面を固定溝を構成する底壁に接着固定するようにしたことを特徴とするものである。
【００２２】
そして、本発明は、ハーフミラー固定用部材に接着固定用折曲部を設け、該接着固定用折曲部をハウジングに接着固定するようにしたことを特徴とするものである。
【００２３】
更に、本発明は、接着固定用折曲部にてハーフミラー固定用部材の固定位置を規定するようにしたことを特徴とするものである。
【００２４】
また、本発明は、折曲舌片のハーフミラーの支持面に対向する面に球面突起を設け、該球面突起による支持面に対する点接触によってハーフミラーを押圧支持するようにしたことを特徴とするものである。
【００２５】
そして、本発明は、折曲舌片のハーフミラーの支持面に対向する面に曲面突起を設け、該曲面突起による支持面に対する線接触によってハーフミラーを押圧支持するようにしたことを特徴とするものである。
【００２６】
更に、本発明は、ミラー固定用基準壁の重心点よりも下側に位置するハーフミラーの支持面を押圧するようにしたことを特徴とするものである。
【発明の効果】
【００２７】
本発明は、ハーフミラーに設けられている固定部が挿入固定される固定溝が形成されているハウジングと、前記固定溝を構成するとともにハーフミラーの基準面が当接せしめられるミラー固定用基準壁と、前記固定溝を構成するとともに前記ミラー固定用基準壁に対向する固定壁と、前記ハーフミラーを構成するとともに前記基準面と反対側に設けられている支持面と、前記固定溝を構成する固定壁と前記ハーフミラーの支持面との間に挿入されるハーフミラー固定用部材とを設け、前記ハーフミラー固定用部材に折曲舌片を設け、該折曲舌片を前記ハーフミラーに設けられている支持面に押圧することによって前記ハーフミラーをハウジングに固定するようにしたので、ハーフミラーの固定動作を精度良く行なうことが出来る。
【図面の簡単な説明】
【００２８】
【図１】本発明の要部を示す分解斜視図である。
【図２】本発明の要部を示す分解斜視図である。
【図３】本発明の要部を示す斜視図である。
【図４】ハーフミラーを示す斜視図である。
【図５】本発明に係るハーフミラー固定用部材を示す斜視図である。
【図６】本発明の要部を示す側面図である。
【図７】本発明に係る光ピックアップ装置の光学系を示す概略図である。
【発明を実施するための形態】
【００２９】
光ピックアップ装置を構成する基台となるハウジングにハーフミラーを固定する固定溝を形成し、折曲舌片が形成されているハーフミラー固定部材によってハーフミラーを前記固定溝を構成するミラー固定用規準壁に対して押圧することによってハーフミラーの固定を精度良く行う。
【実施例１】
【００３０】
本発明に係るハーフミラー４の形状は、例えば図４に示すように直方体であり、ハーフミラー４の固定位置を規制する基準面４Ａ及び該基準面の反対側の面である支持面４Ｂが設けられている。また、前記ハーフミラー４は後述する固定動作に使用される固定部４Ｃと光学系の光路として使用される光学使用部４Ｄが設けられている。
【００３１】
図１において、１１は光ピックアップ装置を構成する基台であるハウジングであり、レーザーダイオード１、回折格子２、１／２波長板３、コリメートレンズ５、立ち上げミラー６、１／４波長板７、対物レンズ８を変位可能に支持する対物レンズ支持装置、アナモフィックレンズ９及び光検出器１０が固定されるとともにハーフミラー４に設けられている固定部４Ｃが挿入固定される固定溝１２が形成されている。
【００３２】
１２Ａは前記固定溝１２を構成するとともに前記ハーフミラー４の基準面４Ａと対向するミラー固定用基準壁であり、３つの位置決め用突起ａ、ｂ、ｃが設けられている。１２Ｂは前記固定溝１２を構成する固定壁であり、前記ミラー固定用基準壁１２Ａと対向するとともに該ミラー固定用基準壁１２Ａと平行になるように設けられている。また、前記固定壁１２Ｂの上方には段差部１２Ｃが設けられている。
【００３３】
１３は前記固定溝１２を構成する固定壁１２Ｂとハーフミラー４の支持面４Ｂとの間に挿入されるハーフミラー固定用部材であり、図５に示すように折曲舌片１３Ａ及び接着固定用折曲部１３Ｂが形成されている。１３Ｃは前記折曲舌片１３Ａの前記ハーフミラー４の支持面４Ｂに対向する面に設けられている曲面突起であり、前記ハーフミラー４の支持面４Ｂに押圧当接せしめられるように構成されている。
【００３４】
以上に説明したように本発明の実施例は構成されているが、次に組立動作について説明する。光ピックアップ装置を構成する基台であるハウジング１１にハーフミラー４の固定部４Ｃが挿入固定される固定溝１２が該ハウジングの成型によって形成される。前記固定溝１２には、前述したようにミラー固定用規準壁１２Ａ、固定壁１２Ｂ及び段差部１２Ｃが形成されているとともにハーフミラー４の下面４Ｅを支持する底壁１２Ｄが形成されている。斯かる底壁１２Ｄはハーフミラー４の下面４Ｅを支持することによって該ハーフミラーの上下方向の位置決めを行うように構成されている。
【００３５】
斯様に構成されたハウジング１１の固定溝１２に対してハーフミラー４の固定部４Ｃを挿入する動作が行われるが、斯かる挿入動作はハーフミラー４の固定部４Ｃの下面４Ｅまたは固定溝１２を構成する底壁１２Ｄに紫外線硬化型の接着剤Ｓを塗布した後に行われる。
【００３６】
図１及び図２は前述した状態、即ちハーフミラー４の固定部４Ｃを固定溝１２に挿入した状態であり、斯かる状態において、ハーフミラー固定用部材１３を前記ハーフミラー４の支持面４Ｂと固定溝１２を構成する固定壁１２Ｂとの間に存在する隙間に上方から下方へ挿入させる動作が行われる。
【００３７】
斯かるハーフミラー固定用部材１３の隙間への挿入動作は、該ハーフミラー固定部材１３に設けられている折曲舌片１３Ａを押圧変形させながら行われるが、段差部１２Ｃが固定溝１２の上方、即ち挿入部に設けられているので、前記隙間への挿入動作を円滑に行うことが出来る。斯かる動作を行うことによって前記ハーフミラー固定用部材１３は図３及び図６に示す位置、即ち組立完了位置まで挿入されることになる。
【００３８】
前記ハーフミラー固定用部材１３が前述した組立完了位置まで挿入されると、図６に示すように折曲舌片１３Ａの弾性力によってハーフミラー４が固定溝１２を構成するミラー固定用規準壁１２Ａ方向へ押圧せしめられる。前記ハーフミラー４がミラー固定用規準壁１２Ａ方向へ押圧せしめられると、該ハーフミラー４の基準面４Ａが前記ミラー固定用規準壁１２Ａに設けられている３つの位置決め用突起ａ、ｂ、ｃに押圧当接せしめられる。斯かる位置決め用突起ａ、ｂ、ｃへの基準面４Ａの押圧当接動作が行われる結果、ハーフミラー４は規準位置へ固定されることになる。
【００３９】
また、前記ハーフミラー固定用部材１３が前述した組立完了位置まで挿入されると、図６に示すように該ハーフミラー固定用部材１３に形成されている接着固定用折曲部１３Ｂがハウジング１１に設けられている規準平坦部１１Ａに当接係合した状態になる。即ち、前記ハーフミラー固定用部材１３は、前記接着固定用折曲部１３Ｂの規準平坦部１１Ａとの当接係合動作によってそれ以上の挿入を阻止されることになる。
【００４０】
このようにして接着固定用折曲部１３Ｂによってハーフミラー固定用部材１３の挿入完了位置が規制されるので、ハーフミラー４の支持面４Ｂに対する折曲舌片１３Ａが当接押圧する位置を設定することが出来る。本発明では、折曲舌片１３Ａによる押圧力が作用するハーフミラー４の支持面に対する位置が前記ミラー固定用規準壁１２Ａの重心点Ｇ、即ち３つの位置決め用突起ａ、ｂ、ｃの位置から求められる重心点よりも下方に位置するように設定されている。
【００４１】
前記ハーフミラー固定用部材１３に形成されている折曲舌片１３Ａによる押圧力がハーフミラー４の支持面４Ｂに作用する位置を前記ミラー固定用規準壁１２Ａの重心点Ｇより下方に位置させる理由は、本実施例の固定溝１２のように上方に開口部が設けられているハウジング１１は下方に他の光学部品が配置固定される部分を連結する連結部が設けられているので、温度変化によるハウジングの変形が少ないことにある。即ち、周囲の温度変化に伴ってハウジング１１が変形することになるが、斯かる変形量は上方に設けられている部分の方が大きくなるので、前記ミラー固定用規準壁１２Ａにおいても上方の位置が下方よりも変形することになる。
【００４２】
本発明では、折曲舌片１３Ａによる押圧力が作用するハーフミラー４の支持面４Ｂに対する位置を前記ミラー固定用規準壁１２Ａの重心点Ｇより下方に位置させるようにしたので、ハウジング１１の変形による影響を小さくすることが出来、ハーフミラー４を所望の位置に固定保持することが出来る。
【００４３】
前述したようにハーフミラー固定用部材１３によってハーフミラー４が固定位置に支持されるが、斯かる状態において、ハーフミラー４の固定部４Ｃの下面４Ｅまたは固定溝１２を構成する底壁１２Ｄに塗布されている接着剤Ｓに対して紫外線を照射する動作が行われる。斯かる紫外線照射による接着剤Ｓの硬化動作が行われるとハーフミラー４がハウジング１１に固定されることになる。
【００４４】
斯かるハーフミラー４のハウジング１１に対する接着固定動作が行われた後にハーフミラー固定用部材１３に形成されている接着固定用折曲部１３Ｂをハウジング１１に設けられている規準平坦面１１Ａに接着剤にて接着する動作が行われ、該ハーフミラー固定用部
材１３のハウジング１１に対する固定動作が行われる。
【００４５】
前記ハーフミラー固定用部材１３の折曲舌片１３Ａに設けられている曲面突起１３Ｃの形状を球面とするとハーフミラー４の支持面４Ｂに対する接触は点接触となるが曲面形状にするとハーフミラー４の支持面４Ｂに対する接触は線接触となる。本発明では、点接触または線接触のどちらの接触動作によってもハーフミラー４の正確な固定保持動作を行うことが出来る。
【産業上の利用可能性】
【００４６】
本発明は、ＤＶＤ規格の光ディスクＤに記録されている信号の読み出し動作等を行う光ピックアップ装置に組み込まれているハーフミラーに対して実施することが出来るだけでなく、ＣＤ規格等の他の規格の光ディスクに使用される光ピックアップ装置に実施することも出来る。
【符号の説明】
【００４７】
４      ハーフミラー
４Ａ    基準面
４Ｂ    支持面
１１    ハウジング
１２    固定溝
１２Ａ  ミラー固定用規準壁
１２Ｂ  固定壁
１３    ハーフミラー固定用部材
１３Ａ  折曲舌片
１３Ｂ  接着固定用折曲部
１３Ｃ  曲面突起
【図１】
2011146080.tif 000003
【図２】
2011146080.tif 000004
【図３】
2011146080.tif 000005
【図４】
2011146080.tif 000006
【図５】
2011146080.tif 000007
【図６】
2011146080.tif 000008
【図７】
2011146080.tif 000009